(57)【特許請求の範囲】
【請求項１】
第１のスチーム源からの第１のスチーム及び第２のスチーム源からの第２のスチームが供給され、該第１及び第２のスチームを低圧スチームとして蓄えるとともに、該低圧スチームを外部に供給する圧力ヘッダと、
上記第１のスチーム源から供給される第１のスチームの供給量を調整する第１のスチーム調整手段と、
上記第２のスチーム源から供給される第２のスチームの供給量を調整する第２のスチーム調整手段と、
上記圧力ヘッダの圧力を検出するヘッダ圧力検出手段と、
上記ヘッダ圧力検出手段により検出された圧力に基づき、上記第１のスチームの供給量を指示する第１のスチーム指示値と、上記第２のスチームの供給量を指示する第２のスチーム指示値とを決定し、該第１のスチーム指示値により上記第１のスチーム調整手段を制御するとともに、該第２のスチーム指示値により上記第２のスチーム調整手段を制御するヘッダ圧力制御手段とを備え、
上記ヘッダ圧力制御手段は、
予め上記第２のスチームの最小供給量が０以上の範囲で設けられ、
上記ヘッダ圧力検出手段により検出された圧力に基づいて上記圧力ヘッダへのスチームの全供給量を指示する全スチーム指示値を算出し、該算出された全スチーム指示値が、上記第１のスチーム源から供給可能な最大量と上記第２のスチームの最小供給量との合計量未満に相当するときは、上記第２のスチームの供給量が該最小供給量となり、上記第１のスチームの供給量が該全スチーム指示値に応じた供給量となるように第１のスチーム指示値及び第２のスチーム指示値を決定し、
上記全スチーム指示値が、上記第１のスチーム源から供給可能な最大量と上記第２のスチームの最小供給量との合計量以上に相当するときは、該第１のスチームの供給量が上記第１のスチーム源から供給可能な最大量となる上記第１のスチーム指示値を決定するとともに、上記第２のスチームの供給量が、該全スチーム指示値と該第１のスチーム源から供給可能な最大量との差分に応じた第２のスチーム指示値を決定するものであることを特徴とする低圧スチーム供給装置。
【請求項２】
上記ヘッダ圧力制御手段は、
上記算出された全スチーム指示値が上記第１のスチーム源から供給可能な最大量と上記第２のスチームの最小供給量との合計量未満に相当するときは、上記第１のスチームの供給量と全スチーム指示値との関係に基づき予め設定されたＰＩＤパラメータに基づくＰＩＤ演算により第１のスチーム指示値を決定し、
上記算出された全スチーム指示値が、上記第１のスチーム源から供給可能な最大量と上記第２のスチームの最小供給量との合計量以上に相当するときは、上記第２のスチームの供給量と上記差分との関係に基づき予め設定されたＰＩＤパラメータに基づくＰＩＤ演算により上記第２のスチーム指示値を決定することを特徴とする請求項１記載の低圧スチーム供給装置。
【請求項３】
上記第２のスチーム源は、スチームボイラであることを特徴とする請求項１または２記載の低圧スチーム供給装置。
【請求項４】
第１のスチーム源からの第１のスチーム及び第２のスチーム源からの第２のスチームが供給され、該第１及び第２のスチームを低圧スチームとして蓄えるとともに、該低圧スチームを外部に供給する圧力ヘッダと、該第１のスチーム源から供給される第１のスチームの供給量を調整する第１のスチーム調整手段と、該第２のスチーム源から供給される第２のスチームの供給量を調整する第２のスチーム調整手段と、該圧力ヘッダの圧力を検出するヘッダ圧力検出手段と、該ヘッダ圧力検出手段により検出された圧力に基づき、該第１のスチームの供給量を指示する第１のスチーム指示値と、該第２のスチームの供給量を指示する第２のスチーム指示値とを決定し、該第１のスチーム指示値により該第１のスチーム調整手段を制御するとともに、該第２のスチーム指示値により該第２のスチーム調整手段を制御するヘッダ圧力制御手段とを備える低圧スチーム供給装置における圧力制御方法であり、
上記ヘッダ圧力検出手段により検出された圧力に基づいて上記圧力ヘッダへのスチームの全供給量を指示する全スチーム指示値を算出する全スチーム指示値算出ステップと、
上記全スチーム指示値算出ステップにより算出された全スチーム指示値と、上記第１のスチーム源から供給可能な最大量と予め０以上の範囲で設けられた第２のスチームの最小供給量との合計量とを比較する比較ステップと、
上記比較ステップにより、上記全スチーム指示値が、上記第１のスチーム源から供給可能な最大量と上記第２のスチームの最小供給量との合計量未満に相当するとき、該第２のスチームの供給量が該最小供給量となり、上記第１のスチームの供給量が該全スチーム指示値に応じた供給量となるように第１のスチーム指示値及び第２のスチーム指示値を決定し、該第１のスチーム源及び第２のスチーム源を制御する制御するステップと、
上記比較ステップにより、上記全スチーム指示値が、上記第１のスチーム源から供給可能な最大量と上記第２のスチームの最小供給量との合計量以上に相当するとき、該第１のスチームの供給量が該第１のスチーム源から供給可能な最大量となる上記第１のスチーム指示値を決定するとともに、上記第２のスチームの供給量が、該全スチーム指示値と該第１のスチーム源から供給可能な最大量との差分に応じた第２のスチーム指示値を決定し、該第１のスチーム源及び第２のスチーム源を制御する制御するステップとを有する圧力制御方法。
【発明の詳細な説明】
【技術分野】
【０００１】
本発明は、プラント等における蒸気ヘッダのヘッダ圧力を制御し、安定した圧力の蒸気を提供することができる、低圧スチーム供給装置及びこの低圧スチーム供給装置における圧力制御方法に関する。
【背景技術】
【０００２】
従来より、石油化学コンビナートなどの各種プラントにおいては、様々な蒸気（スチーム）発生源を有し、この蒸気発生源から発生する蒸気は様々な装置において利用されている。この蒸気発生源としては、ボイラ等の意図的に蒸気を発生させるものもあれば、副次的に蒸気が発生するものもある。各種プラントにおいては、これら複数の蒸気発生源からの蒸気を、例えば、発電機、暖房設備など蒸気を必要とする種々の装置等に分配し有効利用が図られている。蒸気を利用する各種装置においては、蒸気発生源で発生された高圧のままで利用されるほか、利用に適した低圧、すなわち蒸気発生源よりも低い圧力に減圧されて供給される。
【０００３】
ところで、複数の蒸気を利用する装置が接続されると、各装置における蒸気の利用量に応じて、必要となる蒸気の供給量も変化する。そこで、この利用量が変化しても圧力が一定となるように、複数の蒸気発生源と各種装置との間に１台の圧力コントローラを設け、この圧力コントローラにより、いずれか１つの蒸気発生源からの供給量を制御し、残りの蒸気発生源は供給量一定としていた。しかし、上記１つの蒸気発生源からの供給量のコントロールでは、圧力一定となるように各装置で必要とするスチームを過不足なく供給することが難しい。
【０００４】
【特許文献１】特開平０４−１２８５０５号公報
【発明の開示】
【発明が解決しようとする課題】
【０００５】
そこで本発明は、上述のような実情に鑑みてなされたものであり、安定した圧力の制御を行うことができる低圧スチーム供給装置及びこの低圧スチーム供給装置における圧力制御方法を提供することを目的とする。
【課題を解決するための手段】
【０００６】
上述した課題を解決するために、本発明に係る低圧スチーム供給装置は、第１のスチーム源からの第１のスチーム及び第２のスチーム源からの第２のスチームが供給され、該第１及び第２のスチームを低圧スチームとして蓄えるとともに、該低圧スチームを外部に供給する圧力ヘッダと、上記第１のスチーム源から供給される第１のスチームの供給量を調整する第１のスチーム調整手段と、上記第２のスチーム源から供給される第２のスチームの供給量を調整する第２のスチーム調整手段と、上記圧力ヘッダの圧力を検出するヘッダ圧力検出手段と、上記ヘッダ圧力検出手段により検出された圧力に基づき、上記第１のスチームの供給量を指示する第１のスチーム指示値と、上記第２のスチームの供給量を指示する第２のスチーム指示値とを決定し、該第１のスチーム指示値により上記第１のスチーム調整手段を制御するとともに、該第２のスチーム指示値により上記第２のスチーム調整手段を制御するヘッダ圧力制御手段とを備える。そして、上記ヘッダ圧力制御手段は、予め上記第２のスチームの最小供給量が０以上の範囲で設けられ、上記ヘッダ圧力検出手段により検出された圧力に基づいて上記圧力ヘッダへのスチームの全供給量を指示する全スチーム指示値を算出し、該算出された全スチーム指示値が、上記第１のスチーム源から供給可能な最大量と上記第２のスチームの最小供給量との合計量未満に相当するときは、上記第２のスチームの供給量が該最小供給量となり、上記第１のスチームの供給量が該全スチーム指示値に応じた供給量となるように第１のスチーム指示値及び第２のスチーム指示値を決定し、上記全スチーム指示値が、上記第１のスチーム源から供給可能な最大量と上記第２のスチームの最小供給量との合計量以上に相当するときは、該第１のスチームの供給量が上記第１のスチーム源から供給可能な最大量となる上記第１のスチーム指示値を決定するとともに、上記第２のスチームの供給量が、該全スチーム指示値と該第１のスチーム源から供給可能な最大量との差分に応じた第２のスチーム指示値を決定するものであることを特徴とする。
【０００７】
また、本発明に係る圧力制御方法は、第１のスチーム源からの第１のスチーム及び第２のスチーム源からの第２のスチームが供給され、該第１及び第２のスチームを低圧スチームとして蓄えるとともに、該低圧スチームを外部に供給する圧力ヘッダと、該第１のスチーム源から供給される第１のスチームの供給量を調整する第１のスチーム調整手段と、該第２のスチーム源から供給される第２のスチームの供給量を調整する第２のスチーム調整手段と、該圧力ヘッダの圧力を検出するヘッダ圧力検出手段と、該ヘッダ圧力検出手段により検出された圧力に基づき、該第１のスチームの供給量を指示する第１のスチーム指示値と、該第２のスチームの供給量を指示する第２のスチーム指示値とを決定し、該第１のスチーム指示値により該第１のスチーム調整手段を制御するとともに、該第２のスチーム指示値により該第２のスチーム調整手段を制御するヘッダ圧力制御手段とを備える低圧スチーム供給装置における圧力制御方法であり、上記ヘッダ圧力検出手段により検出された圧力に基づいて上記圧力ヘッダへのスチームの全供給量を指示する全スチーム指示値を算出する全スチーム指示値算出ステップと、上記全スチーム指示値算出ステップにより算出された全スチーム指示値と、上記第１のスチーム源から供給可能な最大量と予め０以上の範囲で設けられた第２のスチームの最小供給量との合計量とを比較する比較ステップと、上記比較ステップにより、上記全スチーム指示値が、上記第１のスチーム源から供給可能な最大量と上記第２のスチームの最小供給量との合計量未満に相当するとき、該第２のスチームの供給量が該最小供給量となり、上記第１のスチームの供給量が該全スチーム指示値に応じた供給量となるように第１のスチーム指示値及び第２のスチーム指示値を決定し、該第１のスチーム源及び第２のスチーム源を制御する制御するステップと、上記比較ステップにより、上記全スチーム指示値が、上記第１のスチーム源から供給可能な最大量と上記第２のスチームの最小供給量との合計量以上に相当するとき、該第１のスチームの供給量が該第１のスチーム源から供給可能な最大量となる上記第１のスチーム指示値を決定するとともに、上記第２のスチームの供給量が、該全スチーム指示値と該第１のスチーム源から供給可能な最大量との差分に応じた第２のスチーム指示値を決定し、該第１のスチーム源及び第２のスチーム源を制御する制御するステップとを有する。
【発明の効果】
【０００８】
本発明によれば、簡易な構成で、第１及び第２のスチーム源を制御し、圧力ヘッダ内の圧力を一定に保持することができ、蒸気使用機器に安定して蒸気を供給することができる。
【発明を実施するための最良の形態】
【０００９】
以下、本発明を適用した低圧スチーム供給装置について図面を参照して詳細に説明をする。図１は、本発明の実施の形態の構成図を示す。本発明に係る低圧スチーム供給装置１は、第１のスチーム源１１からの第１のスチームＳ１及びボイラ１２からのスチームＳ２が供給され、供給された各スチームを複数の蒸気使用機器２に供給する圧力ヘッダ１３と、第１のスチーム源１１から供給される第１のスチームＳ１の供給量を調整する第１のスチーム調整手段１４と、ボイラ１２から供給されるスチームＳ２の供給量を調整するボイラ調整手段１５と、圧力ヘッダ１３の圧力を検出するヘッダ圧力検出手段１６と、第１のスチーム調整手段１４及びボイラ調整手段１５を制御するヘッダ圧力制御手段１７とを備える。
【００１０】
低圧スチーム供給装置１における第１のスチーム源１１は、各種プラント内で発生する蒸気の発生源であり、例えば、大型のボイラである。第１のスチーム源１１は、発生するスチームを後段の圧力ヘッダ１３に供給する。このとき、第１のスチーム源１１から供給されるスチームを説明上、第１のスチームＳ１とする。
【００１１】
第１のスチーム源１１の後段には、第１のスチームＳ１の供給量を調整する第１のスチーム調整手段１４が設けられている。第１のスチーム調整手段１４は、第１のスチームＳ１の供給量を加減する蒸気加減弁である。第１のスチーム調整手段１４は、ヘッダ圧力制御手段１７に接続され、このヘッダ圧力制御手段１７により弁の開閉量が制御される。
【００１２】
ボイラ１２は、低圧スチーム供給装置１における第２のスチーム源であり、第１のスチーム源１１と同様の蒸気の発生源であるボイラである。ボイラ１２は、発生するスチームを後段の圧力ヘッダ１３に供給する。このとき、ボイラ１２から供給されるスチームを説明上、スチームＳ２とする。
【００１３】
ボイラ１２への燃料供給配管中には、ボイラ１２の蒸気発生量を調整し、ボイラ１２からの蒸気供給量を調整するボイラ調整手段１５が設けられている。ボイラ調整手段１５は、ボイラ１２の運転のために必要な燃料の供給配管中に設けられる燃料供給量を調整する弁である。ボイラ調整手段１５は、ボイラ１２に供給する燃料を加減することにより、蒸気の発生量を調整し、圧力ヘッダ１３に供給する蒸気供給量を調整する。ボイラ調整手段１５は、ヘッダ圧力制御手段１７に接続され、このヘッダ圧力制御手段１７により弁の開閉量が制御される。
【００１４】
なお、ボイラ調整手段１５は、完全に燃料供給を停止するのではなく、ボイラの運転が停止しない最低量の燃料供給が行われている。ボイラ１２は、この最低限のボイラの運転により最低発生スチームＳ２ｍｉｎが発生する。この最低発生スチームＳ２ｍｉｎは、最低量の燃料供給に伴うボイラの運転状態が維持されることにより発生する蒸気であり、ボイラの運転状態を維持することで、ボイラの着火、予熱に係る時間をなくすことができ、応答性を維持することができる。なお、ボイラ１２は、上述のように、最低限の運転状態を維持することに限らず、燃料供給を停止し、完全に運転停止するようにしてもよい。
【００１５】
圧力ヘッダ１３は、第１のスチーム源１１及びボイラ１２からのスチームＳ１、Ｓ２が供給され、供給されたスチームＳ１、Ｓ２を低圧スチームとして蓄え、後段の複数の蒸気使用機器２に供給する。圧力ヘッダ１３には、圧力ヘッダ１３の蒸気圧力を検出するヘッダ圧力検出手段１６が設けられている。なお、ここでいう低圧スチームとは、蒸気発生源である第１のスチーム源１１及びボイラ１２よりも低圧なスチームのことをいう。
【００１６】
ヘッダ圧力制御手段１７は、低圧スチーム供給装置１の全体を制御する制御手段であり、第１のスチーム調整手段１４、ボイラ調整手段１５、圧力ヘッダ１３、ヘッダ圧力検出手段１６と接続され、各機器からの検出値等が供給され、各機器に対して制御信号を供給する。具体的には、ヘッダ圧力制御手段１７は、図２に示すように、ヘッダ圧力検出手段１６からのヘッダ圧力値が入力され、ユーザからの入力により設定される目標圧力設定部２１からの設定値が供給され、この設定値と上記ヘッダ圧力値との偏差を算出する偏差演算部２２と、偏差演算部２２により算出された偏差が入力され、全スチーム指示値Ｍｃを算出する全スチーム指示値演算部２３と、全スチーム指示値Ｍｃに基づいて第１のスチーム調整手段１４とボイラ調整手段１５を制御する制御信号を生成する蒸気供給バランス決定部２４と、全スチーム指示値Ｍｃに基づいて全スチーム指示値Ｍｃを算出するためのパラメータを決定する制御パラメータ決定部２５とから構成されている。
【００１７】
目標圧力設定部２１は、図示しない入力手段を有し、この入力手段を介してユーザにより入力される設定圧力値を記憶し、その設定圧力値を偏差演算部２２に出力する。
【００１８】
偏差演算部２２は、ヘッダ圧力検出手段１６からのヘッダ圧力値と、目標圧力設定部２１からの設定圧力値との偏差を算出し、全スチーム指示値演算部２３に出力する。
【００１９】
全スチーム指示値演算部２３は、偏差演算部２２からの偏差等が入力され、この値に基づいてＰＩＤ制御演算することで、スチームの全供給量を指示する全スチーム指示値Ｍｃを算出し、全スチーム指示値Ｍｃを蒸気供給バランス決定部２４に出力する。
【００２０】
蒸気供給バランス決定部２４は、全スチーム指示値演算部２３で算出された全スチーム指示値Ｍｃに基づいて、第１のスチーム調整手段１４を制御する制御信号ＭＶ１、ボイラ調整手段１５を制御する制御信号ＭＶ２を生成し、これらの制御信号ＭＶ１、ＭＶ２を各機器に出力する。
【００２１】
制御パラメータ決定部２５は、第１のスチーム調整手段１４を制御するのに適した制御パラメータとボイラ調整手段１５を制御するのに適した制御パラメータとを記憶し、全スチーム指示値演算部２３で算出された全スチーム指示値Ｍｃと第１のスチーム源１１から供給可能な最大量とボイラ１２からの最小供給量との合計量Ｓとを比較する機構を有し、全スチーム指示値Ｍｃが合計量Ｓ未満であるときには第１のスチーム調整手段１４を制御するのに適した制御パラメータを、全スチーム指示値が合計量Ｓ以上であるときにはボイラ調整手段１５を制御するのに適した制御パラメータを、全スチーム指示値演算部２３に出力する。制御パラメータ決定部２５に記憶されている制御パラメータは、図示しない入力手段を用いて変更することは可能である。
【００２２】
次に、低圧スチーム供給装置１の運転方法について説明をする。
【００２３】
図３は、横軸にヘッダ圧力制御手段１７から出力される全スチーム指示値Ｍｃを示し、縦軸にその全スチーム指示値Ｍｃに応じて、供給される第１のスチーム源１１からのスチームＳ１を指示する第１のスチーム指示値ＭＶ１及びボイラ１２からのスチームＳ２を指示する第２のスチーム指示値ＭＶ２を示している。
【００２４】
図３に示すように、第１のスチーム源１１は、スチームＳ１の供給可能な最大量である最大スチームＳ１ｍａｘが規定されている。また、ボイラ１２は、ボイラ調整手段１５による燃料供給が完全に停止されるのではなく、最低限の運転状態を維持できる最低量の燃料が供給され、最低発生スチームＳ２ｍｉｎが発生するような供給量が規定されている。
【００２５】
ヘッダ圧力制御手段１７は、所望とする圧力ヘッダ１３へのスチーム供給量である全スチーム指示値Ｍｃを算出し、この全スチーム指示値Ｍｃが最大スチームＳ１ｍａｘ及びボイラの最小供給量である最低発生スチームＳ２ｍｉｎの合計量よりも少ない場合、すなわち、最低限のボイラ１２の運転状態と第１のスチーム源１１のみにより、圧力ヘッダ１３へのスチーム供給量を賄える状態にある場合には、ボイラ１２のスチームの供給量の第２のスチーム指示値ＭＶ２を最低発生スチームＳ２ｍｉｎとなるようにするとともに、第１のスチーム源１１からの供給量の第１のスチーム指示値ＭＶ１を調整するように、全スチーム指示値Ｍｃに応じて、第１のスチーム指示値ＭＶ１及び第２のスチーム指示値ＭＶ２を決定する。ただし、このとき、ヘッダ圧力制御手段１７は、ボイラ１２に対しては、スチームＳ２が最低発生スチームＳ２ｍｉｎとなるように、ボイラ調整手段１５を制御する。また、第１のスチーム源１１からのスチームＳ１は、全スチーム指示値Ｍｃから、最低発生スチームＳ２ｍｉｎである第２のスチーム指示値ＭＶ２を差し引いた量となるように制御される。
【００２６】
また、ヘッダ圧力制御手段１７は、所望とする圧力ヘッダ１３へのスチーム供給量が、最大スチームＳ１ｍａｘ以上の場合には、すなわち、最低限のボイラ１２の運転状態と第１のスチーム源１１のみにより、圧力ヘッダ１３へのスチーム供給量を賄うことができない状態にある場合には、第１のスチーム源１１からの供給量を指示する第１のスチーム指示値ＭＶ１を最大スチームＳ１ｍａｘとなるようにし、圧力ヘッダ１３への全スチーム指示値Ｍｃと第１のスチーム指示値ＭＶ１を最大スチームＳ１ｍａｘとした値との差分に応じて、ボイラ１２からのスチーム供給量を調整するように、ボイラ調整手段１５を制御する第２のスチーム指示値ＭＶ２を決定する。
【００２７】
図４は、本発明に係る圧力制御方法を示したフローチャートである。ステップＳ１１において、ヘッダ圧力制御手段１７は、ヘッダ圧力検出手段１６により検出された圧力値に基づいて圧力ヘッダ１３への蒸気の全供給量を指示する全スチーム指示値Ｍｃを算出する。
【００２８】
次に、ステップＳ１２において、ヘッダ圧力制御手段１７は、算出された全スチーム指示値Ｍｃと、第１のスチーム源１１から供給可能な最大量を指示する最大スチームＳ１ｍａｘとボイラ１２の最小供給量を指示する最低発生スチームＳ２ｍｉｎとの合計量とを比較する。全スチーム指示値Ｍｃが、この合計量未満のときは、ステップＳ１３に進み、当該合計量以上のときは、ステップＳ１４に進む。
【００２９】
次に、ステップＳ１３において、ヘッダ圧力制御手段１７は、ヘッダ圧力検出手段１６により検出されたヘッダ圧力値に基づいて算出される圧力ヘッダ１３への蒸気の全供給量を指示する全スチーム指示値Ｍｃが、最大スチームＳ１ｍａｘと最低発生スチームＳ２ｍｉｎとの合計量未満と判断し、全スチーム指示値Ｍｃを、図３に示すように、ボイラ１２においては、最低発生スチームＳ２ｍｉｎとなるようにボイラ１２を制御する値とするとともに、第１のスチーム源１１においては、第１のスチーム源１１からのスチーム供給量を、算出された圧力ヘッダ１３への蒸気の全供給量から最低発生スチームＳ２ｍｉｎを差し引いた値となるように第１のスチーム源１１を制御する値とし、第１のスチーム源１１の第１のスチーム調整手段１４及びボイラ１２のボイラ調整手段１５に制御信号ＭＶ１、ＭＶ２を出力する。すなわち、制御信号ＭＶ２はＳ２ｍｉｎであり、制御信号ＭＶ１は、（Ｍｃ−Ｓ２ｍｉｎ）である。
【００３０】
次に、ステップＳ１４において、ヘッダ圧力制御手段１７は、ヘッダ圧力検出手段１６により検出されたヘッダ圧力値に基づいて算出される圧力ヘッダ１３への蒸気の全供給量を指示する全スチーム指示値Ｍｃが、最大スチームＳ１ｍａｘと最低発生スチームＳ２ｍｉｎとの合計量以上と判断し、全スチーム指示値Ｍｃを、図３に示すように、第１のスチーム源１１においては、最大スチームＳ１ｍａｘとなるように第１のスチーム源１１を制御するとともに、ボイラ１２においては、算出された圧力ヘッダ１３への蒸気の全供給量から最大スチームＳ１ｍａｘを差し引いた値となるようにボイラ１２を制御する値とし、第１のスチーム源１１の第１のスチーム調整手段１４及びボイラ１２のボイラ調整手段１５に制御信号ＭＶ１、ＭＶ２を出力する。すなわち、制御信号ＭＶ１はＳ１ｍａｘであり、制御信号ＭＶ２は、（Ｍｃ−Ｓ１ｍａｘ）である。
【００３１】
以上のような構成を備える低圧スチーム供給装置１は、ヘッダ圧力制御手段１７が、ヘッダ圧力検出手段１６により検出されたヘッダ圧力値に基づいて、全スチーム指示値Ｍｃを決定し、第１のスチーム調整手段１４及びボイラ調整手段１５を制御する。低圧スチーム供給装置１は、このように、全スチーム指示値Ｍｃにより、第１のスチーム指示値ＭＶ１と、ボイラ１２からのスチーム供給量を指示する第２のスチーム指示値ＭＶ２とを決定し、第１のスチーム源１１からのスチーム供給量と、ボイラ１２からのスチーム供給量とを制御することができる。また、低圧スチーム供給装置１は、第１のスチーム源１１を主とし、第１のスチーム源１１のみにより圧力ヘッダ１３内の圧力を制御できる場合には、そのようにし、制御できない場合には、ボイラ１２を用いて補助的にスチームを圧力ヘッダ１３に供給し、圧力ヘッダ１３内を所定の圧力となるように制御することができる。このように、低圧スチーム供給装置１は、簡易な構成で、第１のスチーム源１１及びボイラ１２を制御し、圧力ヘッダ１３内の圧力を一定に保持することができ、蒸気使用機器２に安定して蒸気を供給することができる。
【００３２】
なお、低圧スチーム供給装置１は、上述のように、蒸気発生源として、第１のスチーム源１１とボイラ１２のみを設けることに限らず、例えば、ボイラ１２を複数備えるものであってもよい。
【図面の簡単な説明】
【００３３】
【図１】本発明を適用した低圧スチーム供給装置のブロック図である。
【図２】本発明を適用した低圧スチーム供給装置のヘッダ圧力制御手段のブロック図である。
【図３】蒸気供給バランス決定部に記憶された全スチーム指示値と各機器を制御するための流量に相当する制御信号との相関図である。
【図４】本発明を適用した圧力制御方法のフローチャートである。
【符号の説明】
【００３４】
１  低圧スチーム供給装置、２  蒸気使用機器、１１  第１のスチーム源、１２  ボイラ、１３  圧力ヘッダ、１４  第１のスチーム調整手段、１５  ボイラ調整手段、１６  ヘッダ圧力検出手段、１７  ヘッダ圧力制御手段、２１  目標圧力設定部、２２  偏差演算部、２３  全スチーム指示値演算部、２４  蒸気供給バランス決定部、２５  制御パラメータ決定部
【図１】
0005065916.tif 000002
【図２】
0005065916.tif 000003
【図３】
0005065916.tif 000004
【図４】
0005065916.tif 000005